(57)【要約】【課題】  横揺れは勿論のこと縦揺れに対しても充分な耐震性を備えると共に、墓石積層構築時の連結作業並びに石部材の補修交換のための連結解除作業が容易である墓石などの耐震構造を提供する。【解決手段】  上方本体部１３に下方部分を幅広としている係止脚部１４を下設し、下方本体部１５に、前記係止脚部１４の大きさに対応する溝部１６を形成すると共に、前記溝部が前記係止脚部の幅広部１４２の全部が挿入される挿入部１６ａと、挿入状態で係止脚部の横方向移動を可能とし、且つ上方部分を係止脚部の幅広部が上方に抜け出ないようにした幅狭部に形成した移動部１６ｃと、移動部終端を所定の深さに形成した連結部１６ｂとを備えてなり、連結対象の上方石材の当接面所定位置に上方本体部を埋設固定し、下方石部材の当接面所定位置に下方本体部１５を埋設固定し、係止脚部１４を挿入部１６ａから差し入れて横移動させて、連結部１６ｂで上下石部材を積層連結する。【選択図】  図１
2006193962.tif 000002
【特許請求の範囲】
【請求項１】
上方本体部に下方部分を幅広としている係止脚部を下設し、下方本体部に、前記係止脚部の大きさに対応する溝部を形成すると共に、前記溝部が、前記係止脚部の幅広部の全部が挿入される挿入部と、挿入状態で係止脚部の横方向移動を可能とし、且つ上方部分を係止脚部の幅広部が上方に抜け出ないようにした幅狭部に形成した移動部と、移動部終端を所定の深さに形成した連結部とを備え、連結対象の上方石部材の当接面所定位置に上方本体部を埋設固定し、下方石部材の当接面所定位置に下方本体部を埋設固定し、係止脚部を挿入部から差し入れて横移動させて、連結部で上下石部材を積層してなることを特徴とする墓石等の耐震構造。
【請求項２】
溝部を、係止脚部の横移動がＬ状やＲ状のような非一直線の動作となる形状で、且つ連結部の底面が一段下方に低くなるように形成した請求項１記載の墓石等の耐震構造。
【請求項３】
溝部を、底面が挿入部から連結部まで傾斜面に形成した請求項１記載の墓石等の耐震構造。
【発明の詳細な説明】
【技術分野】
【０００１】
本発明は、墓石等の耐震構造に関するものである。
【背景技術】
【０００２】
石組みの墓の構成は、各地方によって種々の形態が知られているが、最も一般的な墓は、納骨空間を下方に設けた芝台石上に、ブロック台座（下台石、上台石）、墓柱石（棹石）を積み重ね、上下石の当接面にモルタル等を塗布して接着し、墓標部分を構築しているものである。また墓標部分の周囲に石組みの玉垣を形成することも多く、この場合にも一般的に、隅部の角小柱や幕板石は、境界壁（コンクリート製）の上にモルタルで接着している。
【０００３】
前記の石積みの墓においては、地震によって倒伏することが見られるので、近年各石部材（ブロック）を連結して耐震性を向上させることが提案されている。具体的には墓石間の当接面の各々に凹部や溝を形成し、当該凹部に連結棒や筒体を内装する手段（特許文献１，２）、中間墓石や墓石全体を上下に貫通し、貫通孔に心棒を挿通する手段（特許文献３，４）、連結部分に螺合部材を埋設し、螺合連結する手段（特許文献５，６）などが知られている。
【０００４】
【特許文献１】登録実用新案第３０７９９６１号公報。
【特許文献２】登録実用新案第３０１６１８２号公報。
【特許文献３】特開平１０−３７５３２号公報。
【特許文献４】特開２００２−３８７６９号公報。
【特許文献５】特許３５３２５０９号公報。
【特許文献６】実開昭５７−６４５８号公報。
【発明の開示】
【発明が解決しようとする課題】
【０００５】
前記した従来手段においては、耐震の確実性や、設置工事の煩雑さの点で問題がある。例えば連結棒による上下石部材の連結は、横揺れに対する耐性が充分であったとしても、上下振動（縦揺れ）に対しては、全く対応していないので、連結部分が外れる可能性がある。また連結棒を石部材としっかりと固定すると、石部材の補修や取り替えのための分離が不可能となる。
【０００６】
また貫通心棒の採用にあっては、所定の石部材に長い貫通孔を穿設形成しなければならないし、長い距離が正確に一直線となるように石材を配置する必要があり、また最上段の石部材の設置に際しては、石部材をクレーンの吊り上げ状態のまま正確に鉛直方向へ下降させる必要があり、その作業は煩瑣である。もちろん石部材の取り替え作業も同様に面倒である。
【０００７】
更に螺合部材を採用している連結手段のうち、石部材当接面の一方にナット体を埋設し、他方にボルト体を埋設する特許文献５開示の連結手段にあっては、上方石部材を吊り下げた状態で回転下降させる必要があり、面倒であると共にネジ山が破損し易いという問題もある。
【０００８】
また対向当接面に各々ナット体を埋設し、ボルト棒で連結する特許文献６に開示されている連結手段にあっては、螺合操作と石材の下降操作を同時に行わなければならないので、墓標石材の連結には不向きであり、玉垣の接続箇所には採用することができるが、ボルトの操作空間が石材の連結箇所の間隙となり、構築後の外観の点で問題がある。
【０００９】
そこで本発明は、新規な連結器具を使用して石部材の連結を行う墓石等の耐震構造を提案したものである。
【課題を解決するための手段】
【００１０】
本発明に係る墓石等の耐震構造は、上方本体部に下方部分を幅広としている係止脚部を下設し、下方本体部に、前記係止脚部の大きさに対応する溝部を形成すると共に、前記溝部が前記係止脚部の幅広部の全部が挿入される挿入部と、挿入状態で係止脚部の横方向移動を可能とし、且つ上方部分を係止脚部の幅広部が上方に抜け出ないようにした幅狭部に形成した移動部と、移動部終端を所定の深さに形成した連結部とを備えてなり、連結対象の上方石部材の当接面所定位置に上方本体部を埋設固定し、下方石部材の当接面所定位置に下方本体部を埋設固定し、係止脚部を挿入部から差し入れて横移動させて、連結部で上下石部材を積層してなることを特徴とするものである。
【００１１】
従って上方石部材の係止脚部を挿入部から差し入れて連結部まで移動させると、当該位置で上下石部材が通常の積層構造となり、地震などの振動が生じても、係止脚部と溝部の嵌合によって横振動に対応でき、溝部上方部分の幅狭部によって係止脚部の幅広部の抜け出しを阻止しているので、縦揺れに対しても上下石部材は連結状態を維持することになる。
【００１２】
また本発明は、前記構成において特に、溝部を、係止脚部の横移動がＬ状やＲ状のような非一直線の動作となる形状で、且つ連結部の底面が一段下方に低くなるように形成したことを特徴とするものである。
【００１３】
従って特に連結部においては、係止脚部の四周が溝壁面で囲繞されることになるので、横揺れに対して充分な耐震性を有することになり、激しい縦揺れによって連結部から係止脚部が移動したとしても、挿入部までには非直線状の溝であるために、連結が解消される虞がある挿入部までの移動は充分に阻止できる。
【００１４】
更に本発明は、溝部の底面が挿入部から連結部まで傾斜面に形成したことを特徴とするものである。
【００１５】
従って上下石部材の連結作業時には、上方石部材の重量によって横移動が容易になし得るものであり、地震に際しても、揺れによって上下石部材の位置が変わっても、上方石部材の重量で所定位置に復帰する作用が働くものである。
【発明の効果】
【００１６】
本発明の構成は上記のとおりであり、上方石部材を吊り下げ状態で横移動させることで上下石部材の耐震連結がなされるもので、貫通心棒を採用した耐震構造や螺合連結を採用した耐震構造に比較すると、充分な耐震性を備えると共に、墓石積層構築時の連結作業並びに石部材の補修交換のための連結解除作業が容易になったものである。
【発明を実施するための最良の形態】
【００１７】
次に本発明の実施の形態について説明する。実施形態として示した連結器具は、第一連結器具１、第二連結器具２、第三連結器具３の３種であり、各連器具１，２，３は、各２個の部材で構成され、それぞれ連結対象の石部材Ａ，Ｂに埋設固定するものである。
【００１８】
第一連結器具１は、金属製（鋳造体又は鍛造体で形成されている）上方部材１１と下方部材１２を備え、上方部材１１は、上方本体部１３と係止脚部１４で構成され、下方部材１２は、下方本体部１５と溝部１６で構成される。
【００１９】
上方本体部１３は、円盤状の本体１３１の上部にアンカー体１３２を稙立させてなり、底面に位置合わせ用の連結棒１３３を垂設してなる。
【００２０】
係止脚部１４は、脚１４１と脚１４１の下方に脚１４１より幅広に膨出形状に形成した幅広部１４２を備えたもので、上端ネジ部１４３で本体１３１の所定位置に下設してなるものである。
【００２１】
下方本体部１５は、下記の内部膨出形状の溝部１６を備えるために、上部本体１５１と下部本体１５２で構成され、上部本体１５１には、連結棒１３３と対応する差込穴１５３と上下本体１５１，１５２を連結するネジ体１５４の挿通孔１５５を穿設してなる。他方下部本体１５２の底面にはアンカー体１５６を下方に突設してなる。
【００２２】
溝部１６は、上部本体１５１のＬ状貫通溝１６１と下部本体１５２のＬ状有底溝１６２を組み合わせて形成されるもので、上部本体１５１の貫通溝１６１の一方端が幅広部１４２に対応する大きさとして挿入部１６ａとし、それ以外は脚１４１と対応する幅（幅狭部１６３）としたものである。
【００２３】
下部本体１５２の有底溝１６２は、幅広部１４２と対応する幅で、且つ幅広部１４２が十分移動できる深さとしたものであり、挿入部１６ａと反対側端部は、幅広部１４２の外形に対応する深穴に形成し（連結部１６ｂ）、係止脚部１４全体が溝部１６に埋没状態で収納されるようにしたものである。
【００２４】
従って上下本体１５１，１５２を上下に組み合わせ、ネジ体１５４を使用して一体にすると、所定の溝部１６が形成されるものである。この溝部１６は、一端側が幅広部１４２を差し込むことができる挿入部１６ａとし、他端側が係止脚部１４を埋没することができる連結部１６ｂで、両者の間が移動部１６ｃとなるものである。
【００２５】
次に前記第一連結器具１の使用状態について説明する。墓所は図４に例示するとおり、墓標部分と墓標部分を囲繞する玉垣部分で構成され、墓標部分は一般に下方から芝台石ａ（下方に納骨室が設けられていることが多い）、下台石ｂ、上台石ｃ、棹石（墓柱石）ｄで構成され、玉垣部分は、門柱ｅ、小角柱ｆ、幕板石ｇで構成される。勿論前記の石組みにおいて、芝台石ａ及び門柱ｅは基礎（境界壁hを兼ねる）に堅牢に構築されていることが前提である。
【００２６】
前記の第一連結器具１は、主として芝台石ａと下台石ｂ、下台石ｂと上台石ｃ、上台石ｃと棹石ｄの上下に連結される石部材ＡＢに使用されるもので、上方部材１１は、上方石部材Ａの底面に所定の穴Ａ１を掘穿し、上方本体部１３を石材用接着剤Ｃで穴Ａ１内に固定する。また下方部材１２も下方石部材Ｂの上面に所定の穴Ｂ１を掘穿し、下方本体部１５を石材用接着剤Ｃで穴Ｂ１内に固定する（図５参照）。
【００２７】
そして上下石部材ＡＢの連結は、上方石部材Ａを上方に吊り上げ、係止脚部１４を挿入部１６ａから差し入れ（図６イ）、移動部１６ｃを移動させ連結部１６ｂに至ると、係止脚部１４を深穴に落ち込ませ、幅広部１４２を前記深穴内に収納する（図６ロ）。そうすると係止脚部１４の幅広部１４２が深穴の溝壁面で囲繞される状態で、上下石部材ＡＢが積層連結されることになる。そして同時に連結棒１３３が差し込み穴１５３に挿着されるものである。
【００２８】
尚上下部材の埋設位置は、上下石部材ＡＢの最終位置が、係止脚部１４と溝部１６の連結部１６bの位置が一致するように決定されるし、当然連結棒１３３と差し込み穴１５３の位置も一致するように設けなければならない。
【００２９】
従って地震などの災害時において、係止脚部１４が溝部１６の連結部１６ｂに収まっているので上部石部材Ａが外れることは無い。激震における激しい縦揺れによって、上部石部材Ａが跳ね上がり、連結部１６bから係止脚部１４が移動したとしても、移動部１６ｃにおいては、幅狭部１６３によって、幅広部１４２が抜け出ることがないし、且つ係止脚部１４が抜け出ることができる挿入部１６ａまではＬ状溝となっているので、当該角部で横移動が阻止されることになり、地震などの災害によって上方石部材Ａが下方石部材Ｂと分離する可能性は全く無い。
【００３０】
更に墓石の汚れや損傷によって補修や取替えが必要となった場合には、上方石部材Ａを所定の動作で引き抜くことで容易に分離することができ、積層連結作業並びに分離作業を容易に行うことができる。
【００３１】
尚前記の第一連結器具１は、前記の構造に限定されず、溝形状はＬ状に特定されるものではなく、その他任意の形状を採用することができる。また下方部分が膨出し上方部分が幅狭部としている溝部の形成のために、下方本体部１５を上下本体１５１，１５２で形成したが、必ずしも２個の本体の組み合わせとせずに、３個以上の本体の組合せとしても良いし、また上下本体とせずに左右本体の組合せとしても良い。
【００３２】
次に第二連結器具２について説明する。第二連結器具２は、図８，９に示すように金属製で、上方部材２１と下方部材２２を備え、上方部材２１は、上方本体部２３と係止脚部２４で構成され、下方部材２２は、下方本体部２５と溝部２６で構成される。
【００３３】
上方本体部２３は、直方体状の本体２３１の上部にアンカー体２３２を稙立させてなり、係止脚部２４は、前記第一連結器具と同様に、脚２４１と、脚２４１の下方に脚２４１より幅広に膨出形状に形成した幅広部２４２を備えたもので、上端ネジ部２４３で本体２３１の所定位置に下設してなるものである。特に前記幅広部２４２の底面部分は下記する下方本体部２５の上下本体当接傾斜面と一致する傾斜面に形成したものである。
【００３４】
下方本体部２５は、下記の内部膨出形状の溝部２６を備えるために、上部本体２５１と下部本体２５２で構成され、上部本体２５１には、上下本体２５１，２５２を連結するネジ体２５３の挿通孔２５４を穿設してなる。他方下部本体２５２の底面にはアンカー体２５５を下方に突設してなる。更に上下に合わせて一体化される上下本体２５１，２５２の当接面は傾斜面に形成してなる。
【００３５】
溝部２６は、上部本体２５１を上下に貫通する貫通溝２６１と、下部本体２５２の有底溝２６２を組み合わせて形成されるもので、上部本体２５１の貫通溝２６１は、底面傾斜面が高い方の端部を、幅広部２４２に対応する大きさに形成して挿入部１６ａとし、それ以外は脚２４１と対応する幅（幅狭部２６３）としたものである。
【００３６】
下部本体２５２の有底溝２６２は、幅広部２４２と対応する幅で、且つ幅広部１４２が十分移動できる深さで、上面の傾斜と一致する傾斜としたものである。
【００３７】
従って上下本体２５１，２５２を上下に組み合わせ、ネジ体２５３を使用して一体にすると、所定の溝部２６が形成されるものである。この溝部２６は、一端側が幅広部２４２を差し込むことができる挿入部２６ａとし、他端側が最深部となって係止脚部１４全体を埋没することができる連結部２６ｂで、両者間の傾斜部分が移動部２６ｃとなるものである。
【００３８】
次に前記第二連結器具２の使用状態について説明する。第二連結器具は、図４に示した墓所における玉垣部分の門柱ｅと当接する小角柱ｆと境界壁ｈ、幕板石ｇと境界壁ｈとの連結に主として使用されるものである。即ち門柱ｅや境界壁ｈは、しっかりとした基礎の上に構築され堅牢であり、この堅牢な境界壁（下方石部材Ｂ）ｈと、その上方に積層配置される上方石部材Ａとなる小角柱ｆと幕板石ｇを、境界壁（下方石部材Ｂ）ｈに連結固定するために使用するものである。
【００３９】
上方部材２１は、上方石部材Ａの底面に所定の穴Ａ１を掘穿し、上方本体部２３をモルタル等の接着剤Ｃで穴Ａ１内に固定する。また下方部材２２も下方石部材Ｂの上面に所定の穴Ｂ１を掘穿し、下方本体部２５を石材用接着剤Ｃで穴Ｂ１内に固定する。
【００４０】
そして上下石部材ＡＢの連結は、上方石部材Ａを上方に吊り上げ、係止脚部２４を挿入部２６ａから差し入れ、移動部２６ｃ内を傾斜移動させ連結部２６ｂに至ると、係止脚部２４は最下位置に達することになる。
【００４１】
従って地震などの災害時において、係止脚部２４が溝部２６の連結部２６ｂに収まっているので上方石部材Ａが下方石部材Ｂから外れることは無い。しかも地震の揺れによって上下石部材ＡＢの位置が変わっても、上方石部材Ａの重量で所定位置に復帰する作用が働くものである。
【００４２】
また特に上方石部材Ａには、その自重によって連結箇所方向への移動力が作用することになるので、溝部２１６の方向を、石の収まりの良い方向（堅牢に固定されている門柱ｅの方向）に設定しておくと、隣接する石に対してしっかりと密着させて設置することができるし、また連結作業や分離作業は容易に行うことができる。
【００４３】
次に第三連結器具３について説明する。第三連結器具３は、図１１，１２に示すように上下石部材を連結するものではなく左右石部材Ｄ，Ｅを連結する器具であり、係止部材３１と受け部材３２とで構成される。
【００４４】
係止部材３１は、下方開口コの字状の扁平な本体部３１１内に、掛け鉤体３１２を回動自在に枢着したもので、前記掛け鉤体３１２は、上方部分に係止鉤部３１３を設け、静止状態では略直立して前記係止鉤部３１３が本体部３１１の側方から非突出状態で、且つ下方部３１４が本体部３１１から下方に突出するものである。更に下方部３１４の端面は、他部材と当接した際に係止鉤部３１３が本体部３１１の側方から突出回動する方向に動作する形状に形成したものである。
【００４５】
受け部材３２は、下方開口コの字状の扁平な本体部３２１内に、掛け鉤体３１２の係止鉤部３１３が鉤止される受け軸３２２を架設したものである。
【００４６】
従ってこの第三連結器具３は、連結すべき左右石部材Ｄ，Ｅの連結対向側面の下側において、一方の石部材Ｄに係止部材３１を埋設固定し、他方の石部材Ｅには受け部材３２を埋設固定しておくもので、受け部材３２を埋設した石部材Ｅは、予め他の連結器具によって連結固定されているものである。
【００４７】
そして係止部材３１を埋設固定した石部材Ｄを吊り上げて、設置位置に下降させると、掛け鉤体３１２の突出下方部３１４が設置台Ｆ（例えば境界壁h）の上面に衝突して掛け鉤体３１２を回動させ、係止鉤部３１３が受け軸３２２に鉤止され、両石部材Ｄ，Ｅが連結固定されるものである。
【図面の簡単な説明】
【００４８】
【図１】本発明の実施形態の第一連結器具の全体斜視図。
【図２】同第一連結金具の上方部材の分解斜視図。
【図３】同第一連結金具の下方部材の分解斜視図。
【図４】同連結器具の使用対象の墓所の説明図。
【図５】同第一連結金具の使用状態の説明図（連結直前）。
【図６】同第一連結金具の使用状態の説明図（連結動作）。
【図７】同第一連結金具の使用状態の説明図（墓標使用状態）。
【図８】同第二連結金具の下方部材の分解斜視図。
【図９】同第二連結金具の全体の一部切断正面図。
【図１０】同第二連結金具の使用状態の説明図。
【図１１】同第三連結金具の全体斜視図。
【図１２】同第三連結金具の使用状態の説明図（連結直前）。
【符号の説明】
【００４９】
Ａ        上方石部材
Ｂ        下方石部材
１        第一連結器具
２        第二連結器具
１１，２１    上方部材
１２，２２    下方部材
１３，２３    上方本体部
１３１，２３１    本体
１３２，２３２    アンカー体
１３３            連結棒
１４，２４    係止脚部
１４１，２４１    脚
１４２，２４２    幅広部
１４３，２４３    上端ネジ部
１５，２５    下方本体部
１５１，２５１    上部本体
１５２，２５２    下部本体
１５３            差込穴
１５４，２５３    ネジ体
１５５，２５４    挿通孔
１５６，２５５    アンカー体
１６，２６    溝部
１６ａ，２６ａ    挿入部
１６ｂ，２６ｂ    連結部
１６ｃ，２６ｃ    移動部
１６１，２６１    貫通溝
１６２，２６２    有底溝
１６３，２６３    幅狭部
【図１】
2006193962.tif 000003
【図２】
2006193962.tif 000004
【図３】
2006193962.tif 000005
【図４】
2006193962.tif 000006
【図５】
2006193962.tif 000007
【図６】
2006193962.tif 000008
【図７】
2006193962.tif 000009
【図８】
2006193962.tif 000010
【図９】
2006193962.tif 000011
【図１０】
2006193962.tif 000012
【図１１】
2006193962.tif 000013
【図１２】
2006193962.tif 000014